(57)【要約】      （修正有）【課題】かんがい用のみに利用していたダム水で、簡単に発電できるかんがいダム用発電装置を提供する。【解決手段】ダムより低い土地に、発電機１と該側部に電動機付ポンプを設置し、また、導水管４をダムに跨らせて設置し、ダム内の導水管は土砂を吸い込まない程度まで下げ、ダム外の導水管はダムに沿って下げて、発電機に接続し、発電機の後部には吐き出し管５を接続し、発電機前の導水管には導水管より小径の呼び水管６を分岐し、該呼び水管をポンプに接続し、発電機前の導水管と呼び水管に弁７を取り付けて構成した。これにより、単にかんがい用のみに利用していたダム水で発電できるので、安価な電力を供給でき、発電後は、ダム本来の目的であるかんがい用に利用するので、今までのダムに、発電を加えた発電所付きダムとして有効に活用することができる。また、構造簡単であり、廉価に製作でき、湖、沼、池にも設置でき、更に、安価な電力を供給できる。【選択図】図１
2015086680.tif 000002
【特許請求の範囲】
【請求項１】
ダムより低い土地に、発電機と該側部に電動機付ポンプを設置し、また、導水管をダムに跨らせて設置し、ダム内の導水管は土砂を吸い込まない程度迄下げ、ダム外の導水管は、ダムに沿って下げて、発電機に接続し、発電機の後部には吐出管を接続し、発電機前の導水管には導水管より小径の呼び水管を分岐し、該呼び水管をポンプに接続し、発電機前の導水管と呼び水管に弁を取り付けたかんがいダム用発電装置。
【請求項２】
発電機の片側に、中型発電機、小型発電機を並設し、また、導水管に枝管を分岐し、枝管には、中径の導水管と小径の導水管を分岐し、中径の導水管は中型発電機、小径の導水管は小型発電機に接続し、中型発電機と小型発電機の前部に弁を取り付けた請求項１記載のかんがいダム用発電装置。
【発明の詳細な説明】
【技術分野】
【０００１】  本発明は、かんがいダム用発電装置に関する。
【背景技術】
【０００２】  従来、かんがい用ダムは、かんがい用のみで、ダムが有する高圧エネルギーは利用されず、単に、かんがい用のみにしか利用されてなかった。
【発明の概要】
【発明が解決しようとする課題】
【０００３】  ダムに導水管を跨らせ、かんがい用に放水する分だけ吸い出して発電し、発電後は、かんがいダム本来の目的であるかんがい用水として、河川や農業用水路に放水し、今までのかんがい用ダムに発電を加えた発電所付利水ダムとして有効に活用できるようにしたものである。
【課題を解決するための手段】
【０００４】  そして、本発明は、上記目的を達成するため、ダムより低い土地に、発電機と該側部に電動機付ポンプを設置し、また、導水管をダムに跨らせて設置し、ダム内の導水管は土砂を吸い込まない程度迄下げ、ダム外の導水管はダムに沿って下げて、発電機に接続し、発電機の後部には吐出管を接続し、発電機前の導水管には導水管より小径の呼び水管を分岐し、該呼び水管をポンプに接続し、発電機前の導水管と呼び水管に弁を取り付けたものである。
なお、導水管は硬質ゴム等の可撓管で形成してもよい。【０００５】  上記の課題解決手段による作用は次の通りである。すなわち、発電する時は、先ず、発電機前の弁を全閉し、呼び水管の弁を全開してポンプを運転すれば、ダム水は吸引されてポンプより放水する。
このとき、導水管は満水となるので、ポンプを停め、次に、呼び水管の弁を全閉し、導水管の弁を全開すれば、ダム水が、発電機に流れ込んで発電する。
発電後は、河川や農業用水路にかんがい用に放水する。
【発明の効果】
【０００６】  上述したように、本発明は、今まで、かんがい用のみに利用していたダム水で、簡単に発電できるので、きわめて安価な電力を供給することができる。
また、発電後は、かんがい用ダム本来の目的であるかんがい用として、河川や農業用水路に放水し、ダム水を無駄なく有効に利用できるので、今までのかんがい用ダムを発電所付利水ダムとして有効に活用することができる。
【図面の簡単な説明】
【０００７】
【図１】本発明の正面図  呼び水管は、導水管と同じように、地面に沿って配設するが、分りやすくするため、上方に表した。
【図２】図１の平面図
【図３】導水管受けの正面図
【図４】図３の側面図
【図５】跨管橋の正面図
【図６】図５の側面図
【図７】第２の課題解決手段の平面図
【図８】図７の応用実施例を示す平面図（ダムを跨がない導水管に接続した場合）
【発明を実施するための形態】
【０００８】  以下、本発明の形態を図１から図６について説明する。
【０００９】  図において、１はダムより低い土地に設置した発電機、２は発電機の側部に設置したポンプ、３は電動機、４はダムに跨らせて設置した導水管でダム内の導水管４は土砂を吸い込まない程度まで下げ、ダム外の導水管４はダムに沿って下げて発電機１に接続している。５は発電機１の後部に接続した吐出管、６は発電機１前の導水管４から分岐した呼び水管で、導水管４より小径とし、該呼び水管６はポンプ２に接続している。７は発電機１前の導水管４と呼び水管６に取り付けた弁からなる。
また、８はダム上に据え付ける導水管受けで、導水管４を支えるため、上方に向け半円状に形成している。９は跨管橋で、導水管４を跨いで設置し、点検等において通行し易いようにしている。なお、安全対策として、手すり１０の支柱１１に方杖１２を取り付けている。また、導水管受け８と跨管橋９はアンカーボルトで固定する。
なお、ポンプを設けないで、発電機の代りに、ポンプ水車を設置すれば、ダム水を吸引する時は、発電機を電動機として働かせ、吸引したダム水がポンプ水車より吐出したら発電機にすれば、構造簡単になるが、ポンプ水車の効率がよくないので、長期にわたって発電することを考えれば、図２のように発電機の側部にポンプを設置した方がよい。
【００１０】  以下、上記構成の動作を説明すると、発電は、課題解決手段通り行うが、かんがい用水は、田植時に多く使用し、他は、河川維持のための放水、渇水で貯水量が少い時は限定した放水しかできない。このように、放水量は四季折々によって異る。これ等の放水量の調整はすべて弁で行い、ダム水を無駄なく有効に活用する。
このように放水量は一定でないため、発電量は四季によって変動するが、それでも、放水するダム水は、すべて発電機を通って発電するので、ダム水を無駄なく有効に活用することができる。
【００１１】  また、第２の課題解決手段は、ダムの容量にもよるが第１図の発電機の片側に、中型発電機１３と小型発電機１４を並設し、また、導水管４に枝管１５を分岐し、枝管１５には、中径の導水管１６と小径の導水管１７を分岐し、中径の導水管１６は中型発電機１３、小径の導水管１７は小型発電機１４に接続し、中型発電機１３と小型発電機１４の前部に弁１８を取り付けたものである。
上記構成の動作を説明すると、放水量が多い時は、大型発電機で発電し、放水量が少くなるにつれて中型発電機又は小型発電機で発電する。
この時、発電する発電機の弁を全開し、他の発電機の弁は全閉する。
【００１２】  上記のように構成すれば、放水量に応じた発電機で発電できるので、四季を通じて効率的な発電をすることができる。なお、更に小型の発電機を並設してよい。
なお、本発明は、湖、沼、池にも応用実施でき、また、ダム等の様式、発電機の設置場所等に応じて適切な発電機を設置すれば、効率的な発電をすることができる。また、既設のダムに設置できると共に、単に、かんがい用に放水していたダム水で発電するので、きわめて安価な電力を発電することができる。
【符号の説明】
【００１４】  １  発電機
２  ポンプ
３  電動機
４  導水管
５  吐出管
６  呼び水管
７  弁
８  導水管受け
９  跨管橋
１０  手すり
１１  支柱
１２  方杖
１３  中型発電機
１４  小型発電機
１５  枝管
１６  中径の導水管
１７  小径の導水管
１８  弁
【図１】
2015086680.tif 000003
【図２】
2015086680.tif 000004
【図３】
2015086680.tif 000005
【図４】
2015086680.tif 000006
【図５】
2015086680.tif 000007
【図６】
2015086680.tif 000008
【図７】
2015086680.tif 000009
【図８】
2015086680.tif 000010